(57)【要約】【課題】植物栽培領域の全域に均等に空気を供給できる植物栽培装置の整風構造を提供する。【解決手段】本発明は、植物Ｐが植えられる栽培槽１５を設置するための載置部１０と、載置部１０の上方に設けられ、かつ栽培槽１５の植物Ｐに人工光を照射するための照明ユニット２と、載置部１０の上方に設けられ、かつ栽培槽１５の植物Ｐに空気を供給するための送風機３とを備えた植物栽培装置の整風構造を対象とする。送風機３は、下向きに開口した送風口３２を有するケーシング３１と、ケーシング３１に設けられ、かつ送風口を３２介して下向きに空気を供給する送風機本体３０とを備える。送風口３２にその送風口３２を下側から覆うように整風用アタッチメント４が設けられるとともに、整風用アタッチメント４に多数の通気孔７が形成されている。【選択図】図３Ａ
2020025480.tif 000002
【特許請求の範囲】
【請求項１】
植物が植えられる栽培槽を設置するための載置部と、前記載置部の上方に設けられ、かつ栽培槽の植物に人工光を照射するための照明ユニットと、前記載置部の上方に設けられ、かつ栽培槽の植物に空気を供給するための送風機とを備えた植物栽培装置の整風構造であって、
前記送風機は、下向きに開口した送風口を有するケーシングと、前記ケーシングに設けられ、かつ前記送風口を介して下向きに空気を供給する送風機本体とを備え、
前記送風口にその送風口を下側から覆うように整風用アタッチメントが設けられるとともに、
その整風用アタッチメントに多数の通気孔が形成されていることを特徴とする植物栽培装置の整風構造。
【請求項２】
前記整風用アタッチメントは、椀状に形成されており、下壁部と、その下壁部の外周縁部から前記送風口の開口縁部にかけて配置される周壁部とを備えている請求項１に記載の植物栽培装置の整風構造。
【請求項３】
前記周壁部の前記通気孔による開口面積が、前記下壁部の前記通気孔による開口面積に対し多くなるように設定されている請求項２に記載の植物栽培装置の整風構造。
【請求項４】
表面積に対する前記通気孔による開口面積の比率を開口率として、
前記周壁部の開口率が前記下壁部の開口率に対し高く設定されている請求項２または３に記載の植物栽培装置の整風構造。
【請求項５】
前記周壁部の開口率を「Ａ」、前記下壁部の開口率を「Ｂ」として、開口率の比「Ａ／Ｂ」が１．２〜６に設定されている請求項２〜４のいずれか１項に記載の植物栽培装置の整風構造。
【請求項６】
前記周壁部の前記通気孔の大きさが、前記下壁部の前記通気孔の大きさに対し異なるように設定されている請求項２〜５のいずれか１項に記載の植物栽培装置の整風構造。
【請求項７】
前記多数の通気孔は、均等に分散した状態に配置されている請求項１〜６のいずれか１項に記載の植物栽培装置の整風構造。
【請求項８】
前記通気孔が円形に形成されている請求項１〜７のいずれか１項に記載の植物栽培装置の整風構造。
【請求項９】
前記通気孔の孔径が１ｍｍ〜１０ｍｍに設定されている請求項８に記載の植物栽培装置の整風構造。
【請求項１０】
前記整風用アタッチメントは、逆角錐台形状〜逆円錐台形状に形成されている請求項１〜９のいずれか１項に記載の植物栽培装置の整風構造。
【請求項１１】
前記整風用アタッチメントは、逆四角錐台形状または逆六角錐台形状に形成されている請求項１０に記載の植物栽培装置の整風構造。
【請求項１２】
植物が植えられる栽培槽を設置するための載置部と、前記載置部の上方に設けられ、かつ栽培槽の植物に人工光を照射するための照明ユニットと、前記載置部の上方に設けられ、かつ栽培槽の植物に空気を供給するための送風機とを備え、前記送風機は、下向きに開口した送風口を有するケーシングと、前記ケーシングに設けられ、かつ前記送風口を介して下向きに空気を供給する送風機本体とを備えた植物栽培装置における前記送風口に着脱自在に取り付けられる整風用アタッチメントであって、
前記送風口を下側から覆うように設けられるとともに、
多数の通気孔が形成されていることを特徴とする植物栽培装置の整風用アタッチメント。
【発明の詳細な説明】
【技術分野】
【０００１】
この発明は、施設内で人工光を照射して植物を栽培するようにした植物工場等の植物生産システムに採用される植物栽培装置の整風構造および整風用アタッチメントに関する。
【背景技術】
【０００２】
従来、植物工場等の植物生産システムに採用される植物栽培装置は例えば、載置部が上下方向に間隔をおいて多段に配置された栽培ラックを備え、その栽培ラックの各載置部に、植物が植えられた栽培槽が載置されるとともに、栽培槽の上方に植物に人工光を照射するための照明ユニットが取り付けられている。そして照明ユニットから人工光を植物に照射して植物の成長を促進するようにしている。
【０００３】
一方、このような植物生産システムにおいては、植物の栽培を効果的に行うには、人工光の他に、温度、湿度、空気の流れ等を細かく正確に制御する必要がある。例えば空気の流れ等が滞ってしまうと、チップバーンが発生してしまう。チップバーンとは、植物体の新葉の末端部分等が茶色に変色する現象であり、栽培物がレタスのような葉そのものを食用とする作物である場合、チップバーンの発生によりその作物の商品価値を著しく低下させることになる。
【０００４】
そこで、植物生産システムの植物栽培装置において、チップバーンの発生等を防止するために、空気の流れを適切に制御するようにした整風構造が種々提案されている。
【０００５】
例えば下記特許文献１に示す植物栽培装置においては、栽培ラックの周囲や内部に送風ダクトを張り巡らせて、載置部上方に設置されたダクト部から植物栽培領域の全域に空気を供給している。
【０００６】
また下記特許文献２に示す植物生産システムにおいては、栽培ラックの載置部における間口方向の一側端部に送風ファン（送風機）を配置して、その送風ファンによって載置部の一側端部から他端部に向けて空気を供給するようにしている。
【先行技術文献】
【特許文献】
【０００７】
【特許文献１】特開２０１４−１４２８５号公報
【特許文献２】特開２０１１−７８３５０号公報
【発明の概要】
【発明が解決しようとする課題】
【０００８】
しかしながら、上記特許文献１に示す従来の植物栽培装置の整風構造においては、栽培ラックの周囲や内部に送風ダクトを張り巡らすものであるため、構造が複雑であり、採用すること自体が困難であるとともに、コストの増大も来すという課題があった。
【０００９】
また上記特許文献２に示す従来の植物栽培装置の整風構造においては、載置部の側方から空気を供給するものであるため、載置部上における風上側の植物によって空気の供給が遮られて、風下側の植物に空気が供給されない場合があり、栽培領域の全域に均等に空気を供給することが困難であるという課題があった。
【００１０】
この発明は、上記の課題に鑑みてなされたものであり、植物栽培領域の全域に均等に空気を供給できる上さらに、構造が簡単でコストも削減することができる植物栽培装置の整風構造および整風用アタッチメントを提供することを目的とする。
【課題を解決するための手段】
【００１１】
上記課題を解決するため、本発明は、以下の手段を備えるものである。
【００１２】
［１］植物が植えられる栽培槽を設置するための載置部と、前記載置部の上方に設けられ、かつ栽培槽の植物に人工光を照射するための照明ユニットと、前記載置部の上方に設けられ、かつ栽培槽の植物に空気を供給するための送風機とを備えた植物栽培装置の整風構造であって、
前記送風機は、下向きに開口した送風口を有するケーシングと、前記ケーシングに設けられ、かつ前記送風口を介して下向きに空気を供給する送風機本体とを備え、
前記送風口にその送風口を下側から覆うように整風用アタッチメントが設けられるとともに、
その整風用アタッチメントに多数の通気孔が形成されていることを特徴とする植物栽培装置の整風構造。
【００１３】
［２］前記整風用アタッチメントは、椀状に形成されており、下壁部と、その下壁部の外周縁部から前記送風口の開口縁部にかけて配置される周壁部とを備えている前項１に記載の植物栽培装置の整風構造。
【００１４】
［３］前記周壁部の前記通気孔による開口面積が、前記下壁部の前記通気孔による開口面積に対し多くなるように設定されている前項２に記載の植物栽培装置の整風構造。
【００１５】
［４］表面積に対する前記通気孔による開口面積の比率を開口率として、
前記周壁部の開口率が前記下壁部の開口率に対し高く設定されている前項２または３に記載の植物栽培装置の整風構造。
【００１６】
［５］前記周壁部の開口率を「Ａ」、前記下壁部の開口率を「Ｂ」として、開口率の比「Ａ／Ｂ」が１．２〜６に設定されている前項２〜４のいずれか１項に記載の植物栽培装置の整風構造。
【００１７】
［６］前記周壁部の前記通気孔の大きさが、前記下壁部の前記通気孔の大きさに対し異なるように設定されている前項２〜５のいずれか１項に記載の植物栽培装置の整風構造。
【００１８】
［７］前記多数の通気孔は、均等に分散した状態に配置されている前項１〜６のいずれか１項に記載の植物栽培装置の整風構造。
【００１９】
［８］前記通気孔が円形に形成されている前項１〜７のいずれか１項に記載の植物栽培装置の整風構造。
【００２０】
［９］前記通気孔の孔径が１ｍｍ〜１０ｍｍに設定されている前項８に記載の植物栽培装置の整風構造。
【００２１】
［１０］前記整風用アタッチメントは、逆角錐台形状〜逆円錐台形状に形成されている前項１〜９のいずれか１項に記載の植物栽培装置の整風構造。
【００２２】
［１１］前記整風用アタッチメントは、逆四角錐台形状または逆六角錐台形状に形成されている前項１０に記載の植物栽培装置の整風構造。
【００２３】
［１２］植物が植えられる栽培槽を設置するための載置部と、前記載置部の上方に設けられ、かつ栽培槽の植物に人工光を照射するための照明ユニットと、前記載置部の上方に設けられ、かつ栽培槽の植物に空気を供給するための送風機とを備え、前記送風機は、下向きに開口した送風口を有するケーシングと、前記ケーシングに設けられ、かつ前記送風口を介して下向きに空気を供給する送風機本体とを備えた植物栽培装置における前記送風口に着脱自在に取り付けられる整風用アタッチメントであって、
前記送風口を下側から覆うように設けられるとともに、
多数の通気孔が形成されていることを特徴とする植物栽培装置の整風用アタッチメント。
【発明の効果】
【００２４】
発明［１］［２］の植物栽培装置の整風構造によれば、送風機の送風口に、多数の通気孔を有する整風用アタッチメントを取り付けているため、送風口を通過した空気は、アタッチメントの多数の通気孔を通過することによって、周囲に分散して放出される。このため送風機からの空気が、載置部の栽培槽上における栽培植物が植設される領域（植物栽培領域）の全域に偏りなく均等に供給されるため、空気の流れが良好な生育環境を形成できて、チップバーンの発生等を確実に防止することができる。その上さらに本発明は、送風機の送風口にアタッチメントを取り付けるだけの簡単な構造で実現できるため、コストも大幅に削減することができる。
【００２５】
発明［３］の植物栽培装置の整風構造によれば、アタッチメントの下壁部の開口面積よりも、周壁部の開口面積を大きくしているため、アタッチメントの下壁部を通過して供給される空気よりも、周壁部を通過して供給される空気の方が多くなる。つまり送風機から直下に向かう空気を適度に制限できて、送風機直下の栽培領域に空気が過度に供給されるのを防止しつつ、周囲方向に向けて多くの空気を供給できて、より確実に空気を栽培領域全域に偏りなく均等に供給することができる。
【００２６】
発明［４］の植物栽培装置の整風構造によれば、アタッチメントの下壁部の開口率よりも、周壁部の開口率を高く設定しているため、上記発明［３］と同様に、送風機から直下に向かう空気を適度に制限しつつ、周囲方向に向けて多くの空気を供給できて、より一層確実に空気を栽培領域全域に偏りなく均等に供給することができる。
【００２７】
発明［５］の植物栽培装置の整風構造によれば、周壁部および下壁部の開口率の比を特定の範囲に設定しているため、なお一層空気を栽培領域全域に偏りなく均等に供給することができる。
【００２８】
発明［６］〜［１１］の植物栽培装置の整風構造によれば、上記の効果をより一層確実に得ることができる。
【００２９】
発明［１２］の植物栽培装置の整風用アタッチメントによれば、上記と同様に、植物栽培領域の全域に偏りなく均等に空気を供給できるとともに、構造が簡単でコストも削減することができるという効果を得ることができる。
【図面の簡単な説明】
【００３０】
【図１】図１はこの発明の実施形態である整風構造が適用された植物栽培装置を概略的に示す正面図である。
【図２】図２は実施形態の植物栽培装置を概略的に示す側面図である。
【図３Ａ】図３Ａは実施形態の植物栽培装置における照明ユニットを示す下面図である。
【図３Ｂ】図３Ｂは図３Ａの照明ユニットにおいて整風用アタッチメントを取り外した状態の下面図である。
【図４】図４は実施形態の植物栽培装置に適用された整風用アタッチメントを示す図であって、図（ａ）は下面図、図（ｂ）は断面図である。
【図５】図５は実施形態の植物栽培装置に適用可能な逆四角錐台タイプの変形例を示す下面図であって、図（ａ−１）〜図（ａ−３）は第１〜第３変形例の下面図、図（ｂ−１）〜図（ｂ−３）は第４〜第６変形例の下面図である。
【図６】図６は実施形態の植物栽培装置に適用可能な逆六角錐台タイプの変形例を示す下面図であって、図（ａ−１）および図（ａ−２）は第１および第２変形例の下面図、図（ｂ−１）および図（ｂ−２）は第３および第４変形例の下面図、図（ｃ）は第５変形例の下面図である。
【図７】図７は実施形態の植物栽培装置に適用可能な第１変形例としてのボウルタイプの整風用アタッチメントを示す図であって、図（ａ）は下面図、図（ｂ）は断面図である。
【図８】図８は実施形態の植物栽培装置に適用可能な第２変形例としてのボウルタイプの整風用アタッチメントを示す下面図である。
【発明を実施するための形態】
【００３１】
図１および図２はこの発明の実施形態である整風構造が適用された植物栽培装置を概略的に示す正面図および側面図である。両図に示すように本実施形態の植物栽培装置は、栽培植物Ｐが植設された栽培槽１５を載置する複数の載置部１０が上下方向に間隔をおいて設けられた栽培ラック１を備えている。この栽培ラック１における各載置部１０の上方には照明ユニット２が配置されるとともに、照明ユニット２の下面側中央には送風機３（図３Ｂ等参照）が設けられている。
【００３２】
栽培ラック１は、前後左右の四隅に立設された支柱１１と、左右に隣合う支柱１１間に架け渡され、かつ上下方向に間隔をおいて配置される第１横桟１２と、前後に隣合う支柱１１間に架け渡され、かつ上下方向に間隔をおいて配置される第２横桟１３とを備えている。対応する第１および第２横桟１２，１３は互いに同じ高さ位置に配置されている。
【００３３】
本実施形態においては、上端の第１および第２横桟１２，１３の除く、同一高さの第１および第２横桟１２，１３によって載置部１０が構成されている。例えば前後に隣合う第１横桟１２間に、前後方向に延びる複数の受け部材（図示省略）が左右方向に間隔をおいて配置されることにより、棚状の載置部１０が形成されている。
【００３４】
なお本実施形態においては、栽培ラック１の構成部品としての支柱１１、横桟１２，１３および受け部材、さらに後述の灯具支持材１１および送風機支持材２５は、アルミニウムまたはその合金製の押出型材等によって形成されている。
【００３５】
図３Ａは実施形態の植物栽培装置に適用された照明ユニット２を下側から見上げた下面図、図３Ｂは図３Ａの照明ユニット２において整風用アタッチメント４を取り外した状態の下面図である。両図に示すように、照明ユニット２は、矩形状の外枠２１を備えている。この外枠２１の左右両側には、前後方向に延びる灯具支持材２２が外枠２１の前後両側枠部間に架け渡されるように取り付けられている。さらに左右方向に延びるＬＥＤ灯具２０が前後方向に所定の間隔をおいて配置された状態で、各ＬＥＤ灯具２０の両端部が灯具支持材２２に着脱自在に取り付けられている。
【００３６】
この照明ユニット２は図１および図２に示すように、栽培ラック１における各載置部１０の上方に着脱自在に取り付けられるとともに、必要に応じて高さ調整可能に取り付けられている。そして各載置部１０に載置された栽培槽１５の栽培植物Ｐに対し、照明ユニット２のＬＥＤ灯具２２から人工光が照射されて、栽培植物Ｐの育成が促進されるようになっている。
【００３７】
なお照明ユニット２にはＬＥＤ灯具２２の上側を覆うように反射板（図示省略）が設けられており、ＬＥＤ灯具２２から放射される人工光が効率良く、下方の栽培植物Ｐに向けて照射されるよう構成されている。
【００３８】
図３Ａおよび図３Ｂに示すように、照明ユニット２における外枠２１の前後方向のほぼ中間位置において、左右方向に延びる一対の送風機支持材２５が左右両側の上記灯具支持材２２間に架け渡されるように取り付けられている。
【００３９】
この一対の送風機支持材２５の左右方向中間位置に送風機（送風ファン）３が取り付けられている。図３Ｂに示すように送風機３は、枠状のケーシング３１と、そのケーシング３１内に収容される送風機本体としての羽根（プロペラ）３０とを備えている。ケーシング３１には、下向きに開口する送風口３２が形成されており、羽根３０の回転駆動によって発生した空気は、送風口３２を通って下向きに放出されるように構成されている。
【００４０】
さらに図１〜図３Ａに示すように、送風機３のケーシング３１には、その送風口３２を下側から覆うようにして椀状の整風用アタッチメント４が着脱自在に取り付けられている。
【００４１】
図４は本実施形態の植物栽培装置に適用された整風用アタッチメント４を示す図である。同図に示すように、このアタッチメント４は、矩形状の平坦な下壁部５と、周囲四側面を閉塞し、かつ下壁部５の外周縁部から送風機３の送風口３２の開口縁部にかけて配置される周壁部６とを備えている。周壁部６は、下方に向かうに従ってそれぞれ軸心に近づくように傾斜する４つの壁部６ａ，６ｂによって構成されており、アタッチメント４が全体として逆四角錐台形状に形成されている。
【００４２】
本実施形態において、周壁部６の周囲４つの壁部は、植物栽培装置（栽培ラック１）の左右方向（間口方向）に対向して配置される２つの左右対向壁部６ａと、植物栽培装置の前後方向（奥行き方向）に対向して配置される２つの前後対向壁部６ｂとに区分けされている。そして本実施形態においては以下に説明するように、下壁部５に形成される通気孔７と、左右対向壁部６ａに形成される通気孔７と、前後対向壁部６ｂに形成される通気孔７とはそれぞれ構成が異なっている。
【００４３】
すなわち、下壁部５に形成される通気孔７と、前後対向壁部６ｂに形成される通気孔７とは、共に円形に形成され、各孔単独の大きさ（孔径）は同じであるものの、単位面積あたりの孔数（孔密度）は、前後対向壁部６ｂの方が下壁部５よりも多くなっている。換言すると、前後対向壁部６ｂにおける通気孔７による総開口面積は、下壁部５における通気孔７による総開口面積に比べて大きくなっており、さらに前後対向壁部６ｂにおいて表面積に対する通気孔７による開口面積の比率（開口率）は、下壁部５において表面積に対する通気孔７による開口面積の比率（開口率）よりも高くなっている。
【００４４】
また左右対向壁部６ａに形成される通気孔７は、円形に形成されるものの、前後対向壁部６ｂに形成される通気孔７よりも孔単独の大きさ（孔径）は大きくなっている。さらに左右対向壁部６ａにおける通気孔７による総開口面積は、前後対向壁部６ｂの総開口面積よりも大きくなっており、左右対向壁部６ａにおいて表面積に対する通気孔７による開口面積の比率（開口率）は、前後対向壁部６ｂにおいて表面積に対する通気孔７による開口面積の比率（開口率）よりも高くなっている。
【００４５】
この構成の整風用アタッチメント４が、既述した通り、照明ユニット２における送風機３の送風口３２を下方側から覆うように着脱自在に取り付けられている。
【００４６】
以上のように構成された本実施形態の植物栽培装置において、送風機３の羽根３０を回転駆動することによって、送風機３から空気が栽培槽１５の栽培植物Ｐに供給されて、栽培植物Ｐにとって良好な空気の流れが形成されるものである。
【００４７】
ここで本実施形態においては、送風機３の送風口３２に装着されるアタッチメント４に多数の通気孔７を分散した状態に形成しているため、送風口３２を通過した空気は、アタッチメント４の多数の通気孔７を通過することによって、周囲に均等に分散して放出される。このため送風機３からの空気が、載置部１０の栽培槽１５上における栽培植物Ｐが植設される領域（植物栽培領域）の全域に偏りなく均等に供給される。従って部分的に空気の流れが滞ったり、空気が一部に集中して供給されるような不具合を防止することができ、空気の流れが良好な生育環境を形成できて、チップバーンの発生等を確実に防止することができる。
【００４８】
特に本実施形態においては、アタッチメント４の下壁部５の開口率よりも、周壁部６の開口率を高く設定して、下壁部５の開口面積を周壁部６の開口面積よりも大きくしているため、アタッチメント４の下壁部５を通過して供給される空気よりも、周壁部６を通過して供給される空気の方が多くなる。つまり送風機３から直下に向かう空気を適度に制限できて、送風機直下の栽培領域に空気が過度に集中して供給されるのを防止しつつ、周囲方向に向けて多くの空気を供給することにより、より確実に空気を栽培領域全域に均等に供給でき、空気の流れが良好な最適な生育環境をより確実に形成することができる。
【００４９】
その上さらに、本実施形態においては、アタッチメント４の周壁部６のうち、左右対向壁部６ａの開口率を、前後対向壁部６ｂの開口率よりも高く設定しているため、より一層確実に空気を栽培領域全域に均等に供給することができる。すなわち本実施形態のような植物栽培装置において、栽培槽１５が載置される載置部１０は通常、前後方向の長さよりも左右方向の長さが長く設定されているため、載置部１０上の植物栽培領域も載置部１０と同様に前後方向の長さよりも左右方向の長さが長くなっている。そのため、送風機３から供給される空気のうち、前後方向に向かう空気よりも、左右方向に向かう空気を多く確保するのが好ましい。そこで本実施形態においては、既述した通り、アタッチメント４の左右対向壁部６ａの開口率を、前後対向壁部６ｂの開口率に比べて、高く設定しているため、アタッチメント４の周壁部６から周囲に供給される空気のうち、左右方向に向かう空気が前後方向に向かう空気よりも多くて強くなる。従って、より一層確実に空気を植物栽培領域全域に均等に供給することができて、最適な生育環境をより一層確実に形成することができる。
【００５０】
また本実施形態においては、送風機３から供給される空気が植物栽培領域の一部に集中して、過度の強風が発生するのを防止できるため、部分的に発生する過度の強風により、植物Ｐが変形する等の不具合も有効に防止することができる。
【００５１】
また本実施形態の植物栽培装置は、送風機３にアタッチメント４を取り付けるだけの簡単な構造で実現できるため、小型コンパクト化および構造の簡素化を図ることができるとともに、コストも大幅に削減することができる。
【００５２】
さらに本実施形態の植物栽培装置は、上記特許文献２のように載置部の一側端部から他側端部に向けて空気を供給する植物栽培装置とは異なり、各載置部１０の植物栽培領域の上方から空気が供給されるため、栽培植物Ｐが成長したとしても、植物Ｐによって空気の供給が遮られることがなく、空気を植物栽培領域の全域に不具合なく確実に供給することができる。
【００５３】
ここで本実施形態では、植物栽培領域に空気を供給するに際して、植物栽培領域の全域において風速を０．１５ｍ／ｓｅｃ〜１，８ｍ／ｓｅｃに調整するのが好ましい。すなわち風速がこの特定範囲よりも小さい場合には、空気の供給量が不足して、栽培植物Ｐの生育スピードが低下したり、チップバーンが発生するおそれがあり、好ましくない。逆に風速が上記の特定範囲よりも大きい場合には、風圧が高くなり、栽培植物Ｐの形状異常や倒壊が生じて、栽培植物Ｐを適切に生育できないおそれがあり、好ましくない。
【００５４】
また本実施形態において、アタッチメント４に形成される通気孔７の孔径を１ｍｍ〜１０ｍｍに設定するのが好ましい。すなわち通気孔７の孔径を上記特定の範囲に設定した場合には、アタッチメント４から放出される空気を周囲方向に確実に分散させることができ、空気をより確実に植物栽培領域の全域に均等に分散させることができる。
【００５５】
さらに本実施形態においては、周壁部６の開口率を１０％〜５０％に設定するのが好ましく、下壁部５の開口率を１％〜３０％に設定するのが好ましい。すなわちこれらの開口率を上記特定の範囲に設定した場合には、アタッチメント４から放出される空気を周囲方向に確実に分散させることができ、空気をより確実に植物栽培領域の全域に均等に分散させることができる。
【００５６】
特に本実施形態においては、周壁部６の開口率を「Ａ」、下壁部５の開口率を「Ｂ」として、下壁部５の開口率に対する周壁部６の開口率の比「Ａ／Ｂ」を１．２〜６に設定するのが好ましい。すなわちこの開口率比を上記の特定範囲に設定した場合には、植物栽培領域の全域において風速を上記の好適範囲（０．１５ｍ／ｓｅｃ〜１，８ｍ／ｓｅｃ）できて、栽培植物Ｐにとって良好な生育環境を提供することができる。
【００５７】
なお本実施形態の植物栽培装置においては、各載置部１０に対し１台ずつ送風機３を設置するようにしているが、載置部１０上の植物栽培領域の大きさや形状に応じて、各載置部１０に対する送風機３の設置台数や設置位置を決定するようにすれば良い。例えば本実施形態において、植物栽培領域全体に均等に空気を供給するには、植物栽培領域の０〜１．５ｍ２当たりに送風機３を１台設置するのが良い。
【００５８】
ところで本発明において、アタッチメント４における単位面積当たりの通気孔７の数（孔密度）や、通気孔７の大きさ、通気孔７による開口率、通気孔７の配列位置、通気孔７の形状等は特に限定されるものではなく、栽培領域の形状や大きさ、アタッチメント４（送風機３）の取付位置、送風機３の性能等に応じて適宜設定すれば良い。
【００５９】
例えば上記実施形態のように逆四角錐台タイプのアタッチメント４においては、以下の構成のものも採用することができる。すなわち図５（ａ−１）に示すアタッチメント４は、下壁部５および周壁部６に小径で同じサイズの通気孔７が形成されるとともに、下壁部５の通気孔７の孔密度に対し、周壁部６の通気孔７の孔密度が高く設定されている。
【００６０】
また図５（ａ−２）に示すアタッチメント４は、下壁部５、周壁部６の前後対応壁部６ｂおよび左右対向壁部６ａに小径で同じサイズの通気孔７が形成されるとともに、下壁部５の通気孔７の孔密度に対し、左右対向壁部６ａの通気孔７の孔密度が高く設定され、さらに下壁部５の通気孔７の孔密度に対し、前後対向壁部６ｂの孔密度が低く設定されるとともに、一方の前後対向壁部６ｂの孔密度に対し他方の前後対向壁部６ｂの孔密度が低く設定されている。なおこのように孔構造が左右〜前後に非対称形状となっているアタッチメント４は、載置部１０（栽培槽１５）上における前後または左右の位置に配置する場合や、コーナー部に配置する場合等に、栽培槽１５上に効果的に空気を供給することができる。以下に説明する図５（ａ−３）、図５（ｂ−２）、図５（ｂ−３）、図６（ａ−２）、図６（ｂ−２）等においても同じである。
【００６１】
図５（ａ−３）に示すアタッチメント４は、下壁部５と周壁部６の前後対向壁部６ｂとに小径で同じサイズの通気孔７が形成されるとともに、左右対向壁部６ａのうち、一方の左右対向壁部６ａに小径で同じサイズの通気孔７が形成されるとともに、他方の左右対向壁部６ａには通気孔７が形成されていない。同図のアタッチメント４においては、下壁部５の孔密度に対し前後対向壁部６ｂの孔密度が高く設定されるとともに、下壁部５の孔密度と一方の左右対向壁部６ａの孔密度とはほぼ同じに設定されている。
【００６２】
図５（ｂ−１）に示すアタッチメント４は、下壁部５および周壁部６に大径で同じサイズの通気孔７が形成されるとともに、下壁部５の通気孔７の孔密度に対し、周壁部６の通気孔７の孔密度が高く設定されている。また図５（ｂ−２）に示すアタッチメント４は、下壁部５、周壁部６の前後対応壁部６ｂおよび左右対向壁部６ａに小径で同じサイズの通気孔７が形成されるとともに、下壁部５の通気孔７の孔密度に対し、左右対向壁部６ａの通気孔７の孔密度が高く設定され、さらに下壁部５の通気孔７の孔密度に対し、前後対向壁部６ｂの孔密度が低く設定されるとともに、一方の前後対向壁部６ｂに対し他方の前後対向壁部６ｂの孔密度が低く設定されている。
【００６３】
また図５（ｂ−３）に示すアタッチメント４は、下壁部５と周壁部６の前後対向壁部６ｂとに小径で同じサイズの通気孔７が形成されるとともに、左右対向壁部６ａのうち、一方の左右対向壁部６ａには通気孔７が形成されず、他補の左右対向壁部６ａには、小径で同じサイズの通気孔７が形成されるとともに、他方の左右対向壁部６ａには通気孔７が形成されていない。同図のアタッチメント４においては、下壁部５の孔密度に対し前後対向壁部６ｂの孔密度が高く設定されるとともに、下壁部５の孔密度と他方の左右対向壁部６ａの孔密度とはほぼ同じに設定されている。
【００６４】
また本発明においては、アタッチメント４としては、逆四角錐台タイプに限定されずに、他の形状のものを採用するようにしても良く、例えば図６に示すように逆六角錐台タイプのものも好適に採用することができる。逆六角錐台タイプのアタッチメント４は、正六角形状の平坦な下側壁５と、下壁部５の外周縁部に設けられ、かつ周囲六側面を閉塞する６つの壁部６ａ，６ｂによって構成された周壁部６とを備え、全体として逆六角錐台形状に形成されている。さらにこのアタッチメント４において周壁部６は、植物栽培装置の左右方向に対向して配置される２つの左右対向壁部６ａと、植物栽培装置の略前後方向に対向して配置される４つの前後対向壁部６ｂとに区分けされている。そして図６（ａ−１）に示すアタッチメント４は、下壁部５および周壁部６に小径で同じサイズの通気孔７が形成されるとともに、下壁部５の通気孔７の孔密度に対し、周壁部６の通気孔７の孔密度が高く設定されている。
【００６５】
また図６（ａ−２）に示すアタッチメント４は、周壁部６の２つの前後対応壁部６ｂのうち一方の前後対応壁部６ｂには通気孔７が形成されず、他方の前後対応壁部６ｂと、下壁部５と、４つの左右対向壁部６ａに小径で同じサイズの通気孔７が形成される。さらに下壁部５の通気孔７の孔密度に対し、左右対向壁部６ａの通気孔７の孔密度が高く設定されるとともに、下壁部５の通気孔７の孔密度と、他方の前後対向壁部６ｂの通気孔７の孔密度とがほぼ同じに設定されている。
【００６６】
また図６（ｂ−１）に示すアタッチメント４は、下壁部５および周壁部６に大径で同じサイズの通気孔７が形成されるとともに、下壁部５の通気孔７の孔密度に対し、周壁部６の通気孔７の孔密度が高く設定されている。
【００６７】
また図６（ｂ−２）に示すアタッチメント４は、周壁部６の２つの前後対応壁部６ｂのうち一方の前後対応壁部６ｂには通気孔７が形成されず、他方の前後対応壁部６ｂと、下壁部５と、４つの左右対向壁部６ａに大径で同じサイズの通気孔７が形成される。さらに下壁部５の通気孔７の孔密度に対し、左右対向壁部６ａの通気孔７の孔密度と、他方の前後対向壁部６ｂの通気孔７の孔密度とは高く設定されている。
【００６８】
また図６（ｃ）に示すアタッチメント４は、下壁部５および周壁部６の前後対向壁部６ｂには小径で同じサイズの通気孔７が形成されるとともに、左右対向壁部６ａには大径の通気孔７が形成され、さらに下壁部５、左右対向壁部６ａおよび前後対向壁部６ｂの通気孔７の孔密度はそれぞれ異なっている。
【００６９】
また上記実施形態等においては、アタッチメント４としては、逆四角錐台および逆六角錐台等の逆角錐台タイプのものを例に挙げて説明したが、本発明はそれだけに限られず、逆円錐台形状〜略半球形状（ボウル形状）のものも好適に採用することができる。
【００７０】
例えば図７に示すアタッチメント４は、平面視円形の平坦な下壁部５と、下壁部５の外周縁部に設けられ、かつ断面円弧状の周壁部６とを備えた略半球形状〜ボウル形状に形成されている。このアタッチメント４は、下壁部５および周壁部６に小径で同じサイズの矩形状（帯状）の通気孔７が形成されるとともに、下壁部５および周壁部６の全域において孔密度が等しく設定されており、全域において開口率も等しくなっている。このアタッチメント４は全域において開口率が等しいため、送風機３からほぼ直下に向けて供給される空気のうち、下壁部５を通過して下方に向けて放出される空気が、周壁部６を通過して周囲に放出される空気よりも多くなり易い。このため空気が栽培領域の中心部に集中して供給される可能性が高くなる。
【００７１】
そこで本発明においては、下壁部５の空気の通過量が多くなる傾向が高いようなアタッチメント４に対しては、下壁部５の空気の通過量を制限するための邪魔板を設けるようにしても良い。邪魔板はその平面形状がアタッチメント４の下壁部５の平面形状に対応して略円形に形成されており、アタッチメント４の下壁部５上に取り外し可能な状態に配置されている。邪魔板には、多数の円形の通気孔が形成されている。邪魔板において表面積に対する通気孔による開口面積の比率（開口率）は、アタッチメント４の開口率よりも低く設定されている。従って邪魔板によって空気の通過が制限されることによって、下壁部５を通過する空気の量を低減させて、その分、多くの空気を周壁部６の通気孔７に通過させて、空気を周囲に分散させて供給することができる。このためこの邪魔板付きのアタッチメント４を使用した場合であっても、上記実施形態と同様に、送風機３から直下に向かう空気が適度に制限されるとともに、周囲方向に向けて多くの空気が供給されることにより、空気を栽培領域全域に均等に供給することができる。
【００７２】
また言うまでもなく本発明においては、図４〜図６に示すような逆角錐台タイプのアタッチメント４に、邪魔板を設置するようにしても良い。
【００７３】
なお半球状〜逆円錐台形状のアタッチメント４（図７等参照）においても、下壁部５と、周壁部６とにおいて、通気孔７の大きさ（孔径）や開口率を異ならせるようにしても良いし、周壁部６における周囲方向の一部とそれ以外の部分とにおいて、通気孔７の大きさや開口率を異ならせるようにしても良い。このように通気孔７の大きさや開口率を適宜変更して、空気の流れを制御すれば、邪魔板を使用しなくても良い。
【００７４】
例えば図８に示すように略半球形状〜ボウル形状のアタッチメント４において、平面視円形の平坦な下壁部５に円形の多数の通気孔７を形成するとともに、断面円弧状の周壁部６に、図７のアタッチメント４と同様な矩形状（臣状）の通気孔７を形成するようにしても良い。こうして通気孔７の大きさや開口率を異ならせることによって、空気の流れを適切に制御することができる。
【００７５】
また上記実施形態等によれば、アタッチメント４に形成される通気孔７や邪魔板に形成される通気孔の形状を円形や矩形状（帯状）に形成しているが、これらの通気孔の形状は、円形に限られず、どのような形状に形成しても良い。例えば通気孔を、三角形や五角形以上等の多角形状に形成したり、楕円形や長円形に形成したり、スリット状や波形状に形成したり、異形状に形成するようにしても良い。さらに形状の異なる複数種類の通気孔を一つのアタッチメント４に混合して形成するようにしても良い。
【００７６】
また上記実施形態においては、アタッチメントとして逆角錐台形状、逆円錐台形状〜半球形状のものを例に挙げて説明しているが、それだけに限られず、本発明においては、送風機３の送風口３２を下方から覆うことができる形状であれば、どのような形状のアタッチメントも採用することができる。例えばキューブ状等の角柱形状、円盤状等の円柱形状、略全球形状のアタッチメントも採用することができる。
【００７７】
また上記実施形態においては、各段に載置部１０を一つずつ設置するようにしているが、それだけに限られず、本発明においては、各段に載置部１０を並列に複数設置するようにしても良い。
【実施例】
【００７８】
＜実施例１＞
【００７９】
【表１】
2020025480.tif 000003
【００８０】
アタッチメント４として、図５（ａ−１）に示すような逆四角錐台形状であって、全ての通気孔７の大きさ（孔径）が等しく、かつ下壁部５の開口率が７％、周壁部６の開口率が２８％のものを準備した。具体的には下壁部５の表面積が５１８４ｍｍ２、開口面積が３６３ｍｍ２、周壁部６の表面積が５６００ｍｍ２×４、開口面積が１５６５ｍｍ２×４のものを準備した。なお周壁部６の開口率「Ａ」に対する下壁部５の開口率「Ｂ」の比「Ａ／Ｂ」は４である。
【００８１】
このアタッチメント４を上記実施形態と同様な植物栽培装置の送風機３の送風口３２に装着した。送風機（送風ファン）３としては、ＤＣファン  ＳＡＮＣＥ１２０  ９ｓ１２１２Ｌ４０１（山洋電気株式会社製）を用いた。
【００８２】
図９Ａ等に示すように植物栽培領域Ｒは、載置部１０から５ｃｍ上方の領域とし、間口寸法（左右寸法）が１０４ｃｍ、奥行き寸法（前後寸法）が６７．５ｃｍに設定されている。なお、送風機３は、この植物栽培領域Ｒの中心位置に対応して配置されている。
【００８３】
また送風ファン３から真下に２５ｃｍ離れた直下位置と、直下位置から前方に３０ｃｍ離れた前側位置と、直下位置から後方に３０ｃｍ離れた後側位置と、直下位置から右側方に３０ｃｍ離れた右側位置と、直下位置から左側方に３０ｃｍ離れた左側位置とを、風速の測定箇所に設定し、送風機３を駆動させた状態で、各風速測定箇所において１５秒間の風速の平均値を風速値として測定した。表１において、「風速」の項目の「ファン直下」とあるのは、風速測定箇所の直下位置の風速を示し、「周辺部」とあるのは、風速測定箇所のうち前側位置と、後側位置と、右側位置と、左側位置との４つの位置の平均の風速を示している。風速の測定には、風速計クリモマスター６５０１−Ｂ０（日本カノマックス社製）と、クリモマスタープローブ６５３３−２１（日本カノマックス社製）を使用した。なお風速の測定時は、載置部１０上に栽培槽１５（栽培植物Ｐ）を載置しない状態で行った。
【００８４】
その結果、表１に示すようにファン直下位置（中心位置）の風速は０．１５ｍ／ｓｅｃ〜０．３ｍ／ｓｅｃであり、周辺部の風速は０．９ｍ／ｓｅｃ〜１．１ｍ／ｓｅｃであった。
【００８５】
＜実施例２＞
アタッチメント４として、図６（ａ−１）に示すような逆六角錐台形状であって、全ての通気孔７の大きさ（孔径）が等しく、かつ下壁部５の開口率が９％、周壁部６の開口率が３１％のものを準備した。具体的には下壁部５の表面積が３７４４ｍｍ２、開口面積が３３７ｍｍ２、周壁部６の表面積が２６７９ｍｍ２×６、開口面積が８３０ｍｍ２×６のものを準備した。なお周壁部６の開口率「Ａ」に対する下壁部５の開口率「Ｂ」の比「Ａ／Ｂ」は３．４である。
【００８６】
このアタッチメント４を送風機３に取り付けて、上記実施例１と同様に、植物栽培領域Ｒの風速を測定した。その結果、表１に示すようにファン直下位置（中心位置）の風速は０．３ｍ／ｓｅｃ〜０．４５ｍ／ｓｅｃであり、周辺部の風速は１．０５ｍ／ｓｅｃ〜１．２ｍ／ｓｅｃであった。
【００８７】
＜比較例１＞
アタッチメント４を取り付けずに、送風機３の送風口３２を開放したままの状態で、上記実施例１と同様に風速を測定した。その結果、表１に示すようにファン直下位置（中心位置）の風速は１．９５ｍ／ｓｅｃ〜２．１ｍ／ｓｅｃであり、周辺部の風速は０．６ｍ／ｓｅｃ〜０．９ｍ／ｓｅｃであった。
【００８８】
＜比較例２＞
送風ファン３の真下に、孔が形成されない平板（開口率０％）を水平に配置した。つまり送風ファン３の下方への開口率（アタッチメントの下壁部の開口率に相当）が０％、周側方向への開口率（周壁部の開口率に相当）が１００％となる。そして上記実施例１と同様に風速を測定したところ、表１に示すようにファン直下位置（中心位置）の風速は０．０１ｍ／ｓｅｃであり、周辺部の風速は０．３ｍ／ｓｅｃ〜０．４ｍ／ｓｅｃであった。
【００８９】
＜参考例＞
送風機３を駆動せずに、自然状態（無風状態）で、上記実施例１と同様に風速を測定した。その結果、植物栽培領域Ｒの全域において、風速が０．１ｍ／ｓｅｃ〜０．２ｍ／ｓｅｃであった。
【００９０】
＜実施例３＞
【００９１】
【表２】
2020025480.tif 000004
【００９２】
アタッチメント４として、図７（ａ）（ｂ）に示すような略半球形状〜ボウル状であって、全ての通気孔７の大きさが等しく、かつ下壁部５および周壁部６の全域において開口率が共に６６％のものを準備した。言うまでもなく周壁部６と下壁部５との開口率の比率「Ａ／Ｂ」は１である。
【００９３】
このアタッチメント４を送風機３に取り付けて、上記実施例１と同様に風速を測定した。その結果、表２に示すようにファン直下位置（中心位置）の風速は１．８ｍ／ｓｅｃ〜１．９５ｍ／ｓｅｃであり、周辺部の風速は０．４５ｍ／ｓｅｃ〜０．６ｍ／ｓｅｃであった。
【００９４】
＜実施例４＞
アタッチメント４として、図８に示すような略半球形状〜ボウル状であって、下壁部５に円形の多数の通気孔７が形成されるとともに、周壁部６に周方向の長い長孔状の多数の通気孔７が形成されたものを準備した。換言すると、下壁部５の通気孔４の形状が異なる以外は、図７に示す実施例３のアタッチメント４と同様なものを準備した。この実施例４のアタッチメント４における下壁部５の開口率は４５％、周壁部の開口率は６６％、開口率の比率「Ａ／Ｂ」は１．４６である。
【００９５】
このアタッチメント４を送風機３に取り付けて、上記実施例１と同様に風速を測定した。その結果、表２に示すようにファン直下位置（中心位置）の風速は１．５ｍ／ｓｅｃ〜１．６５ｍ／ｓｅｃであり、周辺部の風速は０．４５ｍ／ｓｅｃ〜０．６ｍ／ｓｅｃであった。
【００９６】
＜評価結果＞
以上の結果から明らかなように、アタッチメント４が取り付けられた実施例１〜４は、アタッチメント４が取り付けられていない比較例と比較して、空気が植物栽培領域Ｒの広範囲に分散して供給されている。
【００９７】
特に実施例１，２，４では、ファン直下および周辺部の風速のいずれにおいても、上記の好適な風速範囲（０．１５ｍ／ｓｅｃ〜１，８ｍ／ｓｅｃ）に含まれており、より効果的に空気を植物栽培領域Ｒの全域に供給できているのが判る。これは周壁部６と下壁部５との開口率の比率「Ａ／Ｂ」が好適範囲（１．２〜６）に含まれるためと考えられる。
【００９８】
また実施例３では、空気の供給位置が植物栽培領域Ｒの中心付近に集中する傾向はあるものの、比較例と比べると、中心付近での風速が低く、空気供給位置の集中はある程度は軽減されており、分散効果は期待できる。
【００９９】
換言すると実施例１，２，４のように、アタッチメント４の周壁部６の開口率を、下壁部５の開口率よりも高く設定することによって、空気の分散効果をより一層高めることができ、植物栽培領域Ｒの広範囲に均等に分散させて偏りなく空気を供給できると考えられる。
【産業上の利用可能性】
【０１００】
この発明の植物栽培装置の整風構造は、施設内で植物を栽培するようにした植物工場等の植物生産システムに好適に用いることができる。
【符号の説明】
【０１０１】
１：栽培ラック
１０：載置部
１１：支柱
１５：栽培槽
２：照明ユニット
３：送風機
３０：羽根（送風機本体）
３１：ケーシング
３２：送風口
４：整風用アタッチメント
５：下壁部
６：周壁部
７：通気孔
Ｐ：栽培植物
Ｒ：植物栽培領域
【図１】
2020025480.tif 000005
【図２】
2020025480.tif 000006
【図３Ａ】
2020025480.tif 000007
【図３Ｂ】
2020025480.tif 000008
【図４】
2020025480.tif 000009
【図５】
2020025480.tif 000010
【図６】
2020025480.tif 000011
【図７】
2020025480.tif 000012
【図８】
2020025480.tif 000013